【事件の表示】
　国際登録第１０６６６３６号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、別掲１のとおりの構成よりなり、第９類、第１０類及び第２８類に属する日本国を指定する国際登録において指定された商品を指定商品として、２０１０年５月２７日にスイスにおいてした商標登録出願に基づいてパリ条約第４条による優先権を主張し、２０１０年（平成２２年）１１月２６日に国際商標登録出願されたものである。その後、指定商品については、原審における平成２３年（２０１１年）１１月２日付け手続補正書及び当審における平成２４年（２０１２年）９月５日付けで記録された限定の通報があった結果、最終的に、第９類「Ａｐｐａｒａｔｕｓ　ａｎｄ　ｉｎｓｔｒｕｍｅｎｔｓ　ｆｏｒ　ｓｃｉｅｎｔｉｆｉｃ　ｒｅｓｅａｒｃｈ　ｉｎ　ｌａｂｏｒａｔｏｒｉｅｓ；ｗｅｉｇｈｉｎｇ，ｍｅａｓｕｒｉｎｇ，ｌｉｆｅ−ｓａｖｉｎｇ　ａｎｄ　ｔｅａｃｈｉｎｇ　ａｐｐａｒａｔｕｓ　ａｎｄ　ｉｎｓｔｒｕｍｅｎｔｓ；ｍｅａｓｕｒｉｎｇ　ａｐｐａｒａｔｕｓ；ａｌｌ　ｔｈｅ　ａｆｏｒｅｓａｉｄ　ｇｏｏｄｓ　ｆｏｒ　ｕｓｅ　ａｎｄ　ｒｅｓｅａｒｃｈ　ｉｎ　ｔｈｅ　ｆｉｅｌｄｓ　ｏｆ　ｈｅａｌｔｈ　ａｎｄ　ｍｅｄｉｃｉｎｅ，ｔｈｅｒａｐｙ，ｒｅａｄａｐｔａｔｉｏｎ　ａｎｄ　ｒｅｈａｂｉｌｉｔａｔｉｏｎ，ｐｈａｒｍａｃｙ，ｆｉｔｎｅｓｓ　ｔｒａｉｎｉｎｇ，ｓｐｏｒｔｓ，ｗｅｌｌｎｅｓｓ　ａｎｄ　ｎｕｔｒｉｔｉｏｎ．」及び第１０類「Ｄｉａｇｎｏｓｔｉｃ　ａｐｐａｒａｔｕｓ　ｆｏｒ　ｍｅｄｉｃａｌ　ｐｕｒｐｏｓｅｓ；ｍｅｄｉｃａｌ　ａｐｐａｒａｔｕｓ　ａｎｄ　ｉｎｓｔｒｕｍｅｎｔｓ；ｔｅｓｔｉｎｇ　ａｐｐａｒａｔｕｓ　ｆｏｒ　ｍｅｄｉｃａｌ　ｐｕｒｐｏｓｅｓ；ｐｈｙｓｉｏｔｈｅｒａｐｙ　ａｐｐａｒａｔｕｓ；ｐｈｙｓｉｃａｌ　ｅｘｅｒｃｉｓｅ　ａｐｐａｒａｔｕｓ，ｆｏｒ　ｍｅｄｉｃａｌ　ｐｕｒｐｏｓｅｓ；ｆｕｒｎｉｔｕｒｅ　ｅｓｐｅｃｉａｌｌｙ　ｍａｄｅ　ｆｏｒ　ｍｅｄｉｃａｌ　ｐｕｒｐｏｓｅｓ，ｎａｍｅｌｙ：ｏｐｅｒａｔｉｎｇ　ｔａｂｌｅｓ，ｄｅｎｔｉｓｔ’ｓ　ａｒｍｃｈａｉｒｓ；ｐｒｅｓｃｒｉｐｔｉｏｎ　ｔａｂｌｅ　ｆｏｒ　ｈｏｓｐｉｔａｌ　ｕｓｅ，ｂｅｄｓ，ｅｓｐｅｃｉａｌｌｙ　ｍａｄｅ　ｆｏｒ　ｍｅｄｉｃａｌ　ｐｕｒｐｏｓｅｓ．」となったものである。
２　原査定の拒絶の理由
　（１）商標法第３条第１項柱書
　商標登録を受けることができる商標は、現在使用をしているもの又は近い将来使用をするものと解されるところ、本願において指定する商品について、本願商標を使用しているか又は近い将来使用をすることについて疑義があるものである。したがって、本願商標は、商標法第３条第１項柱書の要件を具備していない。
　（２）商標法第４条第１項第１１号
　本願商標は、下記アないしキの登録商標と同一又は類似するものであって、同一又は類似の商品について使用するものである。したがって、本願商標は、商標法第４条第１項第１１号に該当する。
　ア　登録第１６１７８１５号商標（以下「引用商標１」という。）は、「ＹＯＵ」の文字を横書きしてなり、昭和５５年６月１７日に登録出願、第１１類に属する商標登録原簿に記載されたとおりの商品を指定商品として、同５８年９月２９日に設定登録されたものである。その後、指定商品については、平成１６年１２月８日に第７類ないし第１２類、第１６類、第１７類、第２１類に属する商標登録原簿記載のとおりの商品を指定商品とする書換登録がなされたものである。
　イ　登録第２０２４８７２号商標（以下「引用商標２」という。）は、「ＹＯＵ」の文字を横書きしてなり、昭和６１年４月７日に登録出願、第１７類に属する商標登録原簿に記載されたとおりの商品を指定商品として、同６３年２月２２日に設定登録されたものである。その後、商標権一部取消し審判により、その指定商品中商標登録原簿記載のとおりの商品について取り消すべきの審決が確定され、平成７年１月３１日にその確定審決の登録がされ、さらに、指定商品については、平成２０年１２月３日に第５類、第９類、第１０類、第１６類、第１７類、第２１類、第２４類及び第２５類に属する商標登録原簿記載のとおりの商品を指定商品とする書換登録がなされたものである。
　ウ　登録第２４２５３４３号商標（以下「引用商標３」という。）は、「遊」の文字よりなり、昭和６０年６月７日に登録出願、第１０類に属する商標登録原簿に記載されたとおりの商品を指定商品として、平成４年６月３０日に設定登録されたものである。その後、指定商品については、平成１４年１０月３０日に第１類、第５類、第９類、第１０類及び第１２類に属する商標登録原簿記載のとおりの商品を指定商品とする書換登録がなされたものである。さらに、その商標権について、平成２４年７月３日に更新登録がされ、その指定商品は第９類に属する商標登録原簿記載のとおりの商品となったものである。
　エ　登録第２４２５３４４号商標（以下「引用商標４」という。）は、「ゆう」及び「遊」の文字を上下に二段書きした構成よりなり、昭和６０年６月７日に登録出願、第１０類に属する商標登録原簿に記載されたとおりの商品を指定商品として、平成４年６月３０日に設定登録されたものである。その後、指定商品については、平成１４年１０月３０日に第１類、第５類、第９類、第１０類及び第１２類に属する商標登録原簿記載のとおりの商品を指定商品とする書換登録がなされたものである。さらに、その商標権について、平成２４年７月３日に更新登録がされ、その指定商品は第９類に属する商標登録原簿記載のとおりの商品となったものである。
　オ　登録第４１５１０５３号商標（以下「引用商標５」という。）は、別掲２のとおりの構成よりなり、平成６年７月８日に登録出願、第９類に属する商標登録原簿に記載されたとおりの商品を指定商品として、平成１０年５月２９日に設定登録されたものである。
　カ　登録第４７７６９２７号商標（以下「引用商標６」という。）は、別掲３のとおりの構成よりなり、平成１５年１１月４日に登録出願、第９類及び第１６類に属する商標登録原簿に記載されたとおりの商品を指定商品として、平成１６年６月４日に設定登録されたものである。
　キ　登録第５０２７３９４号商標（以下「引用商標７」という。）は、別掲４のとおりの構成よりなり、平成１８年１月２３日に登録出願、第２５類及び第３２類に属する商標登録原簿に記載されたとおりの商品を指定商品として、平成１９年２月２３日に設定登録されたものである。
　なお、上記アないしキの各引用商標は、いづれも現に有効に存続しているものである。
３　当審の判断
　（１）商標法第３条第１項柱書
　本願の指定商品は、上記１のとおりに限定された結果、商品の内容及び範囲が明確なものになり、かつ、商標の使用又は使用の意思があることについての疑義がなくなったものと認められる。
　（２）商標法第４条第１項第１１号
　ア　本願商標と引用商標２、６及び７との類否について
　本願の指定商品は、上記１のとおりに限定された結果、引用商標２、６及び７の指定商品と同一又は類似しないものとなった。
　したがって、本願商標に係る当該引用商標２、６及び７についての拒絶の理由は、解消した。
　イ　本願商標と引用商標１及び３ないし５との類否について
　本願商標は、黒色略長方形内に「Ｙｏｕ」の文字を白抜きで配し、その右に「Ｒｅｈｅｂ」の文字を黒色で配してなるものであるが、上記略長方形は、ありふれた図形といえるものであり、また、各文字は、上下の位置をそろえて、同じ書体、同じ大きさ、等間隔にまとまりよく構成されているものである。
　そして、本願商標の構成文字全体から生ずる「ユーリハブ」の称呼も長音を含めわずか５音であり一気に発音し得るものである。
　さらに、前半の「Ｙｏｕ」の文字は、「あなた」を意味する英語として、我が国においても広く使用されているものであるから、その自他商品の識別力はそれほど強いものとはいえないものであり、「Ｒｅｈａｂ」の文字は、「ｒｅｈａｂｉｌｉｔａｔｉｏｎ」（リハビリテーション）を意味する英語であるが、我が国において知られているものではないから、本願商標において、観念上、「Ｙｏｕ」の文字部分が需要者に特に強い印象を与えるものではない。
　以上を総合すると、本願商標は、構成全体をもって一体のものとして認識されるというべきであり、「Ｙｏｕ」の文字部分のみで自他商品の識別標識としの機能を有するものとはいうことができない。
　そうとすれば、本願商標は、その構成文字部分に相応した「ユーリハブ」の一連の称呼のみを生ずるというのが相当である。
　したがって、本願商標から「ユー」の称呼を生ずるとしてその上で、本願商標と引用商標１、３ないし５とが称呼上類似するものとして、本願商標を商標法第４条第１項第１１号に該当するとした原査定は、妥当でない。
　（３）まとめ
　したがって、本願商標は、商標法第３条第１項柱書に規定する要件を具備しないものであり、かつ、同法第４条第１項第１１号に該当するとして本願を拒絶するとした原査定は、取消しを免れない。
　その他、政令で定める期間内に本願について拒絶の理由を発見しない。
　よって、結論のとおり審決する。